(57)【要約】【課題】  カードを収納するストック手段の構成を合理化してなるカードリーダライタを提供すること。【解決手段】  ストック手段４００は、カード１０を積層するスペースを搬送路１１０の上部に設けてなる収納部４１０と、収納部に収納されたカードを搬送路に向って付勢する付勢手段４２０と、カードを搬送路から収納部の内部に向って押上げるカム機構４３０とを備え、カム機構は、カードの搬送方向と平行な軸を中心に回転する複数のカム体４３１，４３２を備え、複数のカム体によりカードの全体を押上げるものであり、複数のカム体のうちの少なくとも一部は、偏心凹部４３０ａを備え、カードを押上げた状態においては、押上げられたカードの下部に偏心凹部が位置するとともに、他のカードが搬送手段により搬送されて偏心凹部の内部に入り込むことにより、押上げられたカードと他のガードがオーバーラップする構成とした。【選択図】図１
2011134276.tif 000002
【特許請求の範囲】
【請求項１】
カードに記録されたデータの読取り、及び前記カードへのデータの書込みを行うカードリーダライタにおいて、
前記データの読取り及び前記データの書込みを行うリードライト手段と、前記カードを所定の搬送路に沿って搬送する搬送手段と、前記カードを収納するストック手段とを備え、
前記ストック手段は、前記カードを積層するスペースを前記搬送路の上部に設けてなる収納部と、前記収納部に収納された前記カードを前記搬送路に向って付勢する付勢手段と、前記カードを前記搬送路から前記収納部の内部に向って押上げるカム機構とを備え、
前記カム機構は、前記カードの搬送方向と平行な軸を中心に回転する複数のカム体を備え、前記複数のカム体により前記カードの全体を押上げるものであり、
前記複数のカム体のうちの少なくとも一部は、偏心凹部を備え、
前記カードを押上げた状態においては、押上げられた前記カードの下部に前記偏心凹部が位置するとともに、他の前記カードが前記搬送手段により搬送されて前記偏心凹部の内部に入り込むことにより、押上げられた前記カードと他の前記ガードがオーバーラップするようにしたことを特徴とするカードリーダライタ。
【発明の詳細な説明】
【技術分野】
【０００１】
本発明は、ＩＣカードや磁気カード等のカードに記録されたデータの読取り、及び前記カードへのデータの書込みを行うカードリーダライタに関する。
【背景技術】
【０００２】
一般に、パチンコやスロットマシンといった遊戯台の側部には、遊戯媒体の貸出し装置が設置されている。いわゆる台毎サンド、或は台間機等と称されるものである。遊戯媒体の貸出し装置は、基本的には紙幣や硬貨が投入されるとその価格に応じた量の遊戯媒体を供給するものであるが、近年では、遊戯客の便宜を図り、所定の情報記録媒体を扱うものが主流となりつつある。すなわち、投入した紙幣や硬貨の価格を限度に遊戯客が遊戯媒体の貸出し量を任意に設定し、遊戯客がその遊戯台を離れる際には、投入価格と貸出した遊戯媒体との差額を情報記録媒体に記録してこれを提供し、遊戯客が他の遊戯台で再び遊戯をする場合は、紙幣や硬貨の代わりにその情報記録媒体を貸出し装置に投入することができる構成となっている。
【０００３】
情報記録媒体としてカードを処理する装置としては、特許文献１に開示されているようなカードリーダライタが用いられている。この種のカードリーダライタは、カードを収納するストック手段が備えられている。すなわち、データの読取り及び書込みを行うのみならず、必要に応じてカードを提供し、且つ返却する必要のなくなったカードを回収するものとなっている。同文献のカードリーダライタは、その小型化を達成するべく、データの読取り及び書込み時にその対象となるカードと収納されているカードとがオーバーラップする構成となっている。
【先行技術文献】
【特許文献】
【０００４】
【特許文献１】特許第３９７８６１５号公報
【発明の概要】
【発明が解決しようとする課題】
【０００５】
さて、カードを収納するストック手段としては、様々な構成が考えられるところ、これをどのように工夫するかが、カードリーダライタの性能や処理速度を左右する重要な課題となっている。
【０００６】
特に、遊戯媒体の貸出し装置は、更なる多機能化及び高性能化が求められるものの、設置スペースが限られており、情報記録媒体としてカードを処理する装置についても、その設置スペースを有効に利用するべく小型のものが望まれている。つまり、装置を小型化するという点においても、カードを収納する手段の更なる合理化が必要とされている。
【０００７】
この点、特許文献１に開示されているカードリーダライタは、オーバーラップした状態のカードにデータの読取り及び書込みすることにより、カードの搬送路の長さを短くすることができるという利点がある。但し、ストック手段に収納されたカードの片側を押上げた状態で次のカードを送るものであり、カードを収納する際には、カードを送る搬送手段の力にてカードの全体を押上げることになる。すなわち、搬送中のカードに負荷がかかり、カードの搬送速度が安定しないという問題がある。カードの搬送・収納をより円滑に行うためには、このような問題に対処する構成が必要である。
【０００８】
本発明は、かかる事情に鑑みてなされたものであり、その目的は、カードを収納するストック手段の構成を合理化してなるカードリーダライタを提供することである。
【課題を解決するための手段】
【０００９】
本願第１請求項に記載した発明は、カード（１０）に記録されたデータの読取り、及び前記カード（１０）へのデータの書込みを行うカードリーダライタ（１）において、前記データの読取り及び前記データの書込みを行うリードライト手段（２１０，２２０）と、前記カード（１０）を所定の搬送路（１１０）に沿って搬送する搬送手段（３００）と、前記カード（１０）を収納するストック手段（４００）とを備え、前記ストック手段（４００）は、前記カード（１０）を積層するスペースを前記搬送路（１１０）の上部に設けてなる収納部（４１０）と、前記収納部（４１０）に収納された前記カード（１０）を前記搬送路（１１０）に向って付勢する付勢手段（４２０）と、前記カード（１０）を前記搬送路（１１０）から前記収納部（４１０）の内部に向って押上げるカム機構（４３０）とを備え、前記カム機構（４３０）は、前記カード（１０）の搬送方向と平行な軸を中心に回転する複数のカム体（４３１，４３２）を備え、前記複数のカム体（４３１，４３２）により前記カード（１０）の全体を押上げるものであり、前記複数のカム体（４３１，４３２）のうちの少なくとも一部は、偏心凹部（４３０ａ）を備え、前記カード（１０）を押上げた状態においては、押上げられた前記カード（１０）の下部に前記偏心凹部（４３０ａ）が位置するとともに、他の前記カード（１０）が前記搬送手段（３００）により搬送されて前記偏心凹部（４３０ａ）の内部に入り込むことにより、押上げられた前記カード（１０）と他の前記ガード（１０）がオーバーラップするようにした構成のカードリーダライタ（１）である。
【発明の効果】
【００１０】
本発明によれば、カードを収納するストック手段の構成を合理化してなるカードリーダライタを得ることができる。
【図面の簡単な説明】
【００１１】
【図１】本発明の実施例に係り、カードリーダライタの説明図（カードを挿入する状態）であって、（ａ）は上面、（ｂ）は側面、（ｃ）は正面から見た要部を示している。
【図２】本発明の実施例に係り、カードリーダライタの説明図（収納されているカードを押上げた状態）であって、（ａ）は上面、（ｂ）は側面、（ｃ）は正面から見た要部を示している。
【図３】本発明の実施例に係り、カードリーダライタの説明図（挿入されたカードを収納した状態）であって、（ａ）は上面、（ｂ）は側面、（ｃ）は正面から見た要部を示している。
【図４】本発明の実施例に係り、カードリーダライタの説明図（カードを排出する状態）であって、（ａ）は上面、（ｂ）は側面、（ｃ）は正面から見た要部を示している。
【図５】本発明の実施例に係り、カードリーダライタを正面から見た要部の説明図であって、（ａ）はカードを押上げる前の状態、（ｂ）はカードを押上げた状態を示している。
【図６】本発明の実施例に係り、上面から見たカム機構及び搬送手段の駆動伝達構造の一例を示す説明図である。
【図７】本発明の実施例に係り、カードリーダライタの説明図であって、（ａ）は上面、（ｂ）は側面、（ｃ）は正面から見た要部を示している。
【図８】本発明の実施例に係り、カードリーダライタの説明図であって、（ａ）は上面、（ｂ）及び（ｃ）は正面から見た要部を示している。
【発明を実施するための形態】
【００１２】
以下に、本発明の実施例を図面に基づいて説明する。図１乃至図６に示すカードリーダライタ１は、情報記録媒体としてカード１０を用いる遊戯媒体の貸出し装置に組込まれるユニットであり、カード１０に記録されたデータの読取り、及びカード１０へのデータの書込みを行うものである。一般に、この種のカード１０としては、ＩＣカードや磁気カードが用いられている。本例のカードリーダライタ１は、情報を記録する手段としてＩＣを備えたカード、磁気ストライブを備えたカード、並びに、ＩＣ及び磁気ストライブの両方を備えたカードを処理するものである。
【００１３】
本例のカードリードライト１は、扁平型の筐体１００を備え、筐体１００の厚さ方向に対応する側面の１つには、カード１０を出し入れするスリット１０１が設けられている。遊戯媒体の貸出し装置に対しては、その厚さ方向を水平としつつ、スリット１０１が設けられた側面が正面側となるように組込まれる。
【００１４】
このカードリーダライタ１は、データの読取り及びデータの書込みを行うリードライト手段２１０,２２０と、カード１０を所定の搬送路１１０に沿って搬送する搬送手段３００と、カードを収納するストック手段４００とを備えている。搬送路１１０は、筐体１００の内部にスリット１０１と連続する隙間を設けて構成されている。リードライト手段としては、磁気ストライブに対してデータの読取り及び書込みを行う磁気ヘッド２１０と、ＩＣに対してデータの読取り及び書込みを行うリードライトアンテナ２２０とが設けられている。カード１０には、磁気ストライブ及びＩＣのいずれか一方、又は両方が設けられている。磁気ヘッド２１０及びリードライトアンテナ２２０は、搬送路１１０の要所にそれぞれ配置されている。
【００１５】
搬送手段３００は、搬送路１１０の要所にそれぞれ正逆回転可能なローラ３１０，３２０を設けてなるものである。ローラとしては、スリット１０１に近い側から順に、第１ローラ３１０、及び第２ローラ３２０を備えている。
【００１６】
搬送手段３００の駆動伝達構造としては、様々な構成が考えられるところ、本例では、ギア、回転軸、及びベルト等にて構成されたリンク機構３４０を介してモータ３３０の動力が第１ローラ３１０及び第２ローラ３２０に伝達される構成となっている。第１ローラ３１０及び第２ローラ３２０は、モータ３３０の動力によって搬送方向と垂直な軸を中心に同じ方向に同時に正逆回転する構成となっている。
【００１７】
ストック手段４００は、カード１０を積層するスペースを搬送路１１０の上部に設けてなる収納部４１０と、収納部４１０に収納されたカード１０を搬送路１１０に向って付勢する付勢手段４２０と、カード１０を搬送路１１０から収納部４１０の内部に向って押上げるカム機構４３０とを備えている。付勢手段４２０は、収納部の内部を移動するプレート４２１に弾性部材４２２（図例はコイルばね）を装着して構成されている。
【００１８】
カム機構４３０は、カード１０の搬送方向と平行な軸を中心に回転する複数のカム体４３１，４３２，４３３を備え、複数のカム体によりカード１０の全体を押上げるものである。カム体としては、スリット１０１に近い側から順に、搬送路１１０の両脇近傍に設けられた一対の第１カム体４３１、搬送路１１０の両脇近傍に設けられた一対の第２カム体４３２、及び搬送路１１０の中央近傍に設けられた１つの第３カム体４３３を備え、第１カム体４３１及び第２カム体４３２が、カード１０の全体を押上げるものとなっている。第３カム体４３３は、搬送手段３００にて搬送されるカード１０を所定の位置で停止させるストッパとなっている。搬送手段３００にて搬送されるカード１０は、第３カム体４３３に当接したところで停止し、リードライトアンテナ２２０による読込み及び書込みが行われる。
【００１９】
本例の場合、カード１０の全体を押上げる複数のカム体４３１，４３２のうちの少なくとも一部は、偏心凹部４３０ａを備えている。具体的には、第１カム体４３１及び第２カム体４２２にそれぞれ偏心凹部４３０ａが設けられている。そして、カード１０を押上げた状態においては、押上げられたカード１０の下部に偏心凹部４３０ａが位置するとともに、他のカード１０が搬送手段３００により搬送されて偏心凹部４３０ａの内部に入り込むことにより、押上げられたカード１０と他のガード１０がオーバーラップする構成となっている。
【００２０】
カム機構４３０の駆動伝達構造としては、様々な構成が考えられるところ、本例では、ギア、及び回転軸等にて構成されたリンク機構４３５を介してモータ４３４の動力が第１カム体４３１、第２カム体４３２、及び第３カム体４３３に伝達される構成となっている。第１カム体４３１、第２カム体４３２、及び第３カム体４３３は、モータ４３４の動力によって搬送方向と平行な軸を中心にそれぞれ所定の方向に同時に回転する構成となっている。
【００２１】
磁気ヘッド２１０、リードライトアンテナ２２０、搬送手段３００のモータ３３０、及びカム機構４３０のモータ４３４は、不図示の制御回路にて制御されている。これらの制御方法は、特に限定はしないが、基本的に、スリット１０１にカード１０が投入されるとそのデータを読取り、更に、遊戯媒体の貸出し装置における紙幣や硬貨の投入価格、遊戯媒体の貸出し量、及び読取ったカード１０のデータに応じてスリット１０１から排出するカード１０に書込みを行う構成となっている。
【００２２】
また、投入された後に返却する必要のなくなったカード１０は、これをストック手段４００に貯留して回収する。更に、紙幣や硬貨の投入に応じて新たにカード１０を提供する場合は、ストック手段４００に貯留されているカード１０を取出し、所定のデータを磁気ヘッド２１０又はリードライトアンテナ２２０で書込み、これをスリット１０１から排出する。カード１０は、各処理に応じて各モータ３３０，４３４を駆動することにより、搬送される。
【００２３】
先ず、スリット１０１にカード１０が投入されると（図１参照）、搬送手段３００及びカム機構４３０が作動し、搬送路１１０側に各カム体４３１，４３２，４３３が迫り出すとともに、投入されたカード１０が第３カム体４３３に当接するまで搬送される。（図２参照）。このとき搬送手段３００により搬送されたカード１０が第１カム体４３１及び第２カム体に設けられた４３２偏心凹部４３０ａの内部に入り込むことにより、投入されたガード１０と第１カム体４３１及び第２カム体４３２に押上げられたカード１０とがオーバーラップする。尚、ストック手段４００に貯留されているカード１０が無い場合は、付勢手段４２０のプレート４２１が第１カム体４３１及び第２カム体４３２によって押上げられて、投入されたガード１０とプレート４２１とがオーバーラップする。
【００２４】
投入されたカード１０の磁気ストライブに記録されたデータは、磁気ヘッド２１０によって、そのカード１０が第３カム体４３３に当接する前に読取られる。磁気ヘッド２１０による読取りは、カード１０の搬送速度が一定でないと不安定になるが、本例によると、搬送中のカード１０に不要な負荷がかかることがないので、そのような心配はない。
【００２５】
また、投入されたカード１０のＩＣに記録されたデータは、リードライトアンテナ２２０によって、そのカード１０が第３カム体４３３に当接した状態で読取られる。
【００２６】
次に、投入されたカード１０を回収する場合は、搬送路１１０側に迫り出した各カム体４３１，４３２，４３３を引込めて、搬送手段３００によりそのカード１０をスリット１０１側から見て更に奥へと搬送する。そして、搬送手段３００は、カード１０が収納部４１０に収まったところで停止する（図３参照）。尚、この状態において、収納部４１０に積層されたカード１０のうち、搬送路１１０に面するカード１０には、第２ローラ３２０が当接している。すなわち、ストック手段４００に貯留されているカード１０は、第２ローラ３２０が回転することにより、スリット１０１側へ送出すことができる。送出されたカード１０には、必要に応じて磁気ヘッド２１０又はリードライトアンテナ２２０によるデータの書込みがなされる。
【００２７】
更に、投入されたカード１０を回収せずに排出する場合は、各カム体４３１，４３２，４３３を搬送路１１０側に迫り出した状態のまま、第１ローラ３１０及び第２ローラ３２０を逆回転させる（図４参照）。回収せずに排出するカード１０には、必要に応じて磁気ヘッド２１０又はリードライトアンテナ２２０によるデータの書込みがなされる。
【００２８】
このような構成によると、カード１０を素早く搬送することができるとともに、ストック手段４００へのカード１０の収納及びストック手段４００からのカード１０の取出しを円滑に行うことができ、カードリーダライタ１の性能及び処理速度の向上を達成することができる。また、カードリーダライタ１全体としては、小型化、薄型化、及び稠密化が達成されており、設置スペースを有効に利用するという点でも非常に有利である。
【００２９】
以上説明したように、本例のカードリーダライタは、カードを収納するストック手段の構成を合理化してなるものである。尚、本例における各部の構成は、特許請求の範囲に記載した技術的範囲において適宜に設計変更が可能であり、図例説明したものに限定されないことは勿論である。
【００３０】
例えば、図７に示すように、搬送手段３００にて搬送されるカード１０を所定の位置で停止させる第３カム体４３３は、第１カム体４３１と第２カム体４３２との間に位置するように構成することも可能である。同図に示す場合は、スリット１０１に近い側から順に、第１カム体４３１、第３カム体４３３、第２カム体４３２となる。カード１０の全体を押上げる第１カム体４３１及び第２カム体４３２のうち、第２カム体４３２には、偏心凹部４３０ａを設けずともよい。
【００３１】
或は、図８に示すように、第２カム体４３２に偏心凹部４３０ａを設けずに、これを搬送手段３００にて搬送されるカード１０を所定の位置で停止させるストッパとして利用するように構成することも可能である。この場合は、前述した第３カム体４３３は省略することができる。
【産業上の利用可能性】
【００３２】
本発明のカードリーダライタは、情報記録媒体としてカードを用いる遊戯媒体の貸出し装置に組込まれるユニットとして好適に利用することが可能である。
【符号の説明】
【００３３】
１    カードリーダライタ
１０    カード
１００    筐体
１０１    スリット
１１０    搬送路
２１０    磁気ヘッド
２２０    リードライトアンテナ
３００    搬送手段
３１０    第１ローラ
３２０    第２ローラ
３３０    モータ
３４０    リンク機構
４００    ストック手段
４１０    収納部
４２０    付勢手段
４２１    プレート
４２２    弾性部材
４３０    カム機構
４３０ａ    偏心凹部
４３１    第１カム体
４３２    第２カム体
４３３    第３カム体
４３４    モータ
４３５    リンク機構
【図１】
2011134276.tif 000003
【図２】
2011134276.tif 000004
【図３】
2011134276.tif 000005
【図４】
2011134276.tif 000006
【図５】
2011134276.tif 000007
【図６】
2011134276.tif 000008
【図７】
2011134276.tif 000009
【図８】
2011134276.tif 000010